(57)【要約】【課題】太陽光に含まれる熱線を吸収して遮蔽することと、太陽光を室内に取り込んで照明として利用することをバランスよく行うこと。【解決手段】光制御シート１００は、太陽光を取り入れる光入射部２００に取り付けられる。光制御シート１００は、面内で所定方向に沿って設けられ、太陽光に含まれる熱線を吸収する複数の熱線吸収部１１を含む熱線吸収群１１ａと、面内で所定方向に沿って設けられ、太陽光を室内の天井側に反射して光の入射側とは反対側に光を取り込む複数の光反射部１２を含む光反射群１２ａと、面内であって、熱線吸収部１１及び光反射部１２の設けられていない箇所に設けられ、太陽光を透過する光透過部１６と、を備えている。光反射群１２ａは、光入射部２００に取り付けられた際に、熱線吸収群１１ａよりも上方に位置している。【選択図】図１
2014077851.tif 000002
【特許請求の範囲】
【請求項１】
熱線を含む光が入射する光入射部に取り付けられる光制御シートにおいて、
前記光制御シートの面内で所定方向に沿って設けられ、前記光の熱線を吸収する複数の熱線吸収部を含む熱線吸収群と、
前記光制御シートの面内で前記所定方向に沿って設けられ、前記光を反射して前記光の入射側とは反対側に前記光を取り込む複数の光反射部を含む光反射群と、
前記光制御シートの面内であって、前記熱線吸収部の間及び前記光反射部の間に設けられ、前記光を透過する光透過部と、
を備えたことを特徴とする光制御シート。
【請求項２】
前記光反射群は、前記光入射部に取り付けられた際に、前記熱線吸収群よりも上方に位置することを特徴とする請求項１に記載の光制御シート。
【請求項３】
前記光入射部に取り付けられた際に、前記所定方向は水平方向になることを特徴とする請求項１又は２のいずれかに記載の光制御シート。
【請求項４】
前記光反射群を含む光反射フィルム部と、前記熱線吸収群を含む熱線吸収フィルム部とを有し、
前記光反射フィルム部と前記熱線吸収フィルム部は別体となっていることを特徴とする請求項１乃至３のいずれか１項に記載の光制御シート。
【請求項５】
前記熱線吸収部は熱線吸収材料を含み、
前記熱線吸収材料は、アンチモンドープ酸化錫（ＡＴＯ）、錫ドープ酸化インジウム（ＩＴＯ）及び六ホウ化ランタンのいずれかから選択される少なくとも１種以上の微粒子と、樹脂組成物とを含むことを特徴とする請求項１乃至４のいずれか１項に記載の光制御シート。
【請求項６】
前記光反射部は光反射材料を含み、
前記光反射材料は、アルミニウム粒子又は銀粒子と、透明樹脂材料からなるバインダー樹脂とを含むことを特徴とする請求項１乃至５のいずれか１項に記載の光制御シート。
【請求項７】
前記光制御シートの面内において前記所定方向に直交する方向における前記熱線吸収部の長さを前記熱線吸収部の幅とし、当該方向における前記光反射部の長さを前記光反射部の幅とした場合に、前記熱線吸収部又は前記光反射部の幅が、０．１μｍ〜５０μｍであることを特徴とする請求項１乃至６のいずれか１項に記載の光制御シート。
【請求項８】
前記熱線吸収部間又は前記光反射部間の間隔が、０．１μｍ〜５００μｍであることを特徴とする請求項１乃至７のいずれか１項に記載の光制御シート。
【請求項９】
前記熱線吸収部の前記光制御シートの厚み方向における高さ又は前記光反射部の前記光制御シートの厚み方向における高さが、０．１μｍ〜７５０μｍであることを特徴とする請求項１乃至８のいずれか１項に記載の光制御シート。
【請求項１０】
熱線を含む光が入射する光入射部と
前記光入射部に取り付けられる光制御シートと、
を備え、
前記光制御シートは、
前記光制御シートの面内で所定方向に沿って設けられ、前記光の熱線を吸収する複数の熱線吸収部を含む熱線吸収群と、
前記光制御シートの面内で前記所定方向に沿って設けられ、前記光を反射して前記光の入射側とは反対側に前記光を取り込む複数の光反射部を含む光反射群と、
前記光制御シートの面内であって、前記熱線吸収部の間及び前記光反射部の間に設けられ、前記光を透過する光透過部と、
を有することを特徴とする光制御シート付き光入射部。
【発明の詳細な説明】
【技術分野】
【０００１】
本発明は、光が入射する窓ガラス等の光入射部に取り付けられる光制御シートと、このような光制御シートを備えた光制御シート付き光入射部に関する。
【背景技術】
【０００２】
従来から、太陽光等の光を建物内に取り入れる窓ガラス等の光入射部に配置される光制御シートが知られている。このような光制御シートとしては、太陽光を透過する光透過性材料からなる光透過部と、太陽光を吸収する熱線吸収材料からなる熱線吸収群とを備え、熱線吸収群が、シート内の一方向に、所定ピッチで、複数配列された熱線吸収材料からなる熱線吸収部を有するものが知られている（特許文献１参照）。
【０００３】
特許文献１に記載された光制御シートは、夏と冬の太陽の高度差により太陽光の建物内への入射を制御するものであり、夏の太陽光による熱と光をより多く遮光し、冬の太陽光による熱と光をより多く透過するようになっている。
【０００４】
しかしながら、特許文献１に記載されたような光制御シートでは、太陽光に含まれる熱線を吸収して遮蔽することのみが想定されており、太陽光を照明として室内に取り込むことは全く想定されていない。
【０００５】
他方、窓に入射する太陽光を、直射太陽光が入射しない天井等に導くことにより、自然光を室内の間接照明に有効に利用する方法が知られている。例えば、特許文献２には、ブラインドの羽を反射材により作製し、窓に入射する太陽光をこの羽により反射して天井に導くことが開示されている。
【０００６】
しかしながら、特許文献２では、太陽光を照明として室内に取り入れることのみが想定されており、太陽光の熱線を吸収して遮断することは全く想定されていない。
【先行技術文献】
【特許文献】
【０００７】
【特許文献１】特開２０１０−２５９４０６号公報
【特許文献２】特開２００２−１０６２７１号公報
【発明の概要】
【発明が解決しようとする課題】
【０００８】
以上のような点に鑑み、本発明は、太陽光のような熱線を含む光を吸収して遮蔽することと、太陽光のような光を室内に取り込んで照明として利用することをバランスよく行うことができる光制御シートと、このような光制御シートを備えた光制御シート付き光入射部を提供する。
【課題を解決するための手段】
【０００９】
本発明による光制御シートは、
熱線を含む光が入射する光入射部に取り付けられる光制御シートであって、
前記光制御シートの面内で所定方向に沿って設けられ、前記光の熱線を吸収する複数の熱線吸収部を含む熱線吸収群と、
前記光制御シートの面内で前記所定方向に沿って設けられ、前記光を反射して前記光の入射側とは反対側に前記光を取り込む複数の光反射部を含む光反射群と、
前記光制御シートの面内であって、前記熱線吸収部の間及び前記光反射部の間に設けられ、前記光を透過する光透過部と、
を備える。
【００１０】
本発明による光制御シートにおいて、
前記光反射群は、前記光入射部に取り付けられた際に、前記熱線吸収群よりも上方に位置してもよい。
【００１１】
本発明による光制御シートにおいて、
前記光入射部に取り付けられた際に、前記所定方向は水平方向になってもよい。
【００１２】
本発明による光制御シートは、
前記光反射群を含む光反射フィルム部と、前記熱線吸収群を含む熱線吸収フィルム部とを有し、
前記光反射フィルム部と前記熱線吸収フィルム部は別体となってもよい。
【００１３】
本発明による光制御シートにおいて、
前記熱線吸収部は熱線吸収材料を含み、
前記熱線吸収材料は、アンチモンドープ酸化錫（ＡＴＯ）、錫ドープ酸化インジウム（ＩＴＯ）及び六ホウ化ランタンのいずれかから選択される少なくとも１種以上の微粒子と、樹脂組成物とを含んでもよい。
【００１４】
本発明による光制御シートにおいて、
前記光反射部は光反射材料を含み、
前記光反射材料は、アルミニウム粒子又は銀粒子と、透明樹脂材料からなるバインダー樹脂とを含んでもよい。
【００１５】
本発明による光制御シートにおいて、
前記光制御シートの面内において前記所定方向に直交する方向における前記熱線吸収部の長さを前記熱線吸収部の幅とし、当該方向における前記光反射部の長さを前記光反射部の幅とした場合に、前記熱線吸収部又は前記光反射部の幅が、０．１μｍ〜５０μｍであってもよい。
【００１６】
本発明による光制御シートにおいて、
前記熱線吸収部間又は前記光反射部間の間隔が、０．１μｍ〜５００μｍであってもよい。
【００１７】
本発明による光制御シートにおいて、
前記熱線吸収部の前記光制御シートの厚み方向における高さ又は前記光反射部の前記光制御シートの厚み方向における高さが、０．１μｍ〜７５０μｍであってもよい。
【００１８】
本発明による光制御シート付き光入射部は、
熱線を含む光が入射する光入射部と
前記光入射部に取り付けられる光制御シートと、
を備え、
前記光制御シートは、
前記光制御シートの面内で所定方向に沿って設けられ、前記光の熱線を吸収する複数の熱線吸収部を含む熱線吸収群と、
前記光制御シートの面内で前記所定方向に沿って設けられ、前記光を反射して前記光の入射側とは反対側に前記光を取り込む複数の光反射部を含む光反射群と、
前記光制御シートの面内であって、前記熱線吸収部の間及び前記光反射部の間に設けられ、前記光を透過する光透過部と、
を有する。
【発明の効果】
【００１９】
本発明の光制御シートは、光制御シートの面内で所定方向に沿って設けられ、光の熱線を吸収する複数の熱線吸収部を含む熱線吸収群と、光制御シートの面内で所定方向に沿って設けられ、上記光を反射して前記光の入射側とは反対側に光を取り込む複数の光反射部を含む光反射群と、を備えている。このため、熱線を含む光の熱線を吸収して遮蔽することと、当該光を入射側と反対側に取りこんで例えば照明等として利用することをバランスよく行うことができる。
【図面の簡単な説明】
【００２０】
【図１】図１は、本発明の実施の形態による光制御シート付き光入射部の概略側方断面図である。
【図２】図２は、本発明の実施の形態による光制御シートの概略側方断面図である。
【図３】図３は、本発明の実施の形態による光制御シートを後面側から見た概略平面図である。
【図４】図４は、本発明の実施の形態による光制御シートの変形例を後面側から見た概略平面図である。
【図５】図５は、本発明の実施の形態による光制御シートの別の変形例の概略側方断面図である。
【図６】図６は、本発明の実施の形態において、熱線吸収フィルム部と光反射フィルム部を有する態様を示した概略側方断面図である。
【図７】図７は、建物の横窓の窓ガラスに、本発明の実施の形態による光制御シートが用いられた態様を示した概略側方断面図である。
【図８】図８は、本発明の実施例及び比較例において、シミュレーションした態様を説明するための概略側方断面図である。
【発明を実施するための形態】
【００２１】
実施の形態
《構成》
以下、本発明に係る光制御シートと、このような光制御シートを備えた光制御シート付き光入射部の実施の形態について、図面を参照して説明する。ここで、図１乃至図８は本発明の実施の形態を説明するための図である。なお、本実施の形態では、「熱線を含む光」の一例として「太陽光」を用いて以下説明するが、これに限られることはなく、熱線を含む光であればどのような光であってもよい。
【００２２】
本実施の形態の光制御シート１００は、図１に示すように、太陽光が入射する光入射部２００に貼り付けられて取り付けられる。なお、光入射部２００は例えば建物に設けられた太陽光を取り入れるための開口部を指し、例えば窓等に用いられる無機ガラスや有機ガラス等（以下「窓ガラス等」と称することもある。）である。図７では、光制御シート１００が、建物の横窓の窓ガラス２００に貼り付けられている態様が示されている。
【００２３】
また、本実施の形態の光制御シート付き光入射部は、太陽光が入射する光入射部２００と、本実施の形態の光制御シート１００と、を備えている。なお、図１は、本実施の形態による光制御シート付き光入射部の概略側方断面図である。
【００２４】
図１に示す光制御シート１００は、光制御層１０と、光制御層１０の後面側に設けられた基材層２０と、光制御層１０の前面側に設けられた粘着層３０と、を備えている。このうち、光制御層１０は、光制御シート１００の面内で所定方向に沿って設けられ、太陽光に含まれる熱線を吸収する複数の熱線吸収部１１を含む熱線吸収群１１ａと、光制御シート１００の面内で所定方向に沿って設けられ、太陽光を室内の天井側に反射することで室内に取り込む複数の光反射部１２を含む光反射群１２ａと、光制御シート１００の面内であって、熱線吸収部１１の間及び光反射部１２の間に設けられて太陽光を透過する光透過部１６と、を有している。なお、本実施の形態では、光透過部１６は、熱線吸収部１１及び光反射部１２の後面側の面を覆うようにして設けられている。ところで、本願において、「前面」とは、光制御シート１００が光入射部２００に貼り付けられた際に、光入射部２００側に位置する面のことを意味し、「後面」とは、当該「前面」と逆側の面のことを意味する（図１参照）。ちなみに、上記熱線は一般に赤外線を指すが、具体的には、７６０〜８３０ｎｍ以上の波長領域等が含まれる。
【００２５】
また、図１に示すように、本実施の形態では、光反射群１２ａは、光制御シート１００が光入射部２００に取り付けられた際に、熱線吸収群１１ａよりも上方に位置するようになっている。光反射群１２ａが占める面積と熱線吸収群１１ａの占める面積の割合であるが、例えば均等になっており１：１となっている。この比率は適宜変更することができ、例えば１：７〜７：１の間で変更することができる。
【００２６】
光制御シート１００が、光入射部２００に貼り付けられる前には、図２に示すように、基材層２０の後面側には、基材層２０を保護するための保護フィルム４０が設けられ、粘着層３０の前面側には剥離フィルム５０が設けられる。なお、図２は、本実施の形態による光制御シート１００の概略側方断面図である。
【００２７】
熱線吸収部１１は、前面から後面に向かう方向（厚み方向）で突出している（図１参照）。同様に、光反射部１２は、前面から後面に向かう方向（厚み方向）で突出している（図１参照）。ちなみに、熱線吸収部１１及び光反射部１２は、光制御層１０内から飛び出していてもよいが、光制御層１０内に収まっているほうがよい。
【００２８】
図３に示すように、各熱線吸収部１１は、必ずしも一定ではないが定まった間隔（ピッチ）で配列されており、互いに平行または略平行となっている。同様に、各光反射部１２も、必ずしも一定ではないが定まった間隔（ピッチ）で配列されており、互いに平行または略平行となっている。ところで、本実施の形態において、上記「所定方向」は、光制御シート１００が光入射部２００に取り付けられた際に「水平方向」になる方向となっている。また、熱線吸収部１１は連続的に存在している必要は必ずしもなく、所定方向に沿って、断続的に存在してもよい（図４参照）。なお、図３は、本実施の形態による光制御シート１００を後面側から見た概略図であり、図４は、本実施の形態による光制御シート１００の変形例を後面側から見た概略図である。ところで、図３及び図４では、説明の便宜上、熱線吸収部１１、光反射部１２及び光透過部１６のみを図示している。
【００２９】
本実施の形態では、図１に示すように、建物の窓ガラス等の光入射部２００に室内側から光制御シート１００を貼り付けた態様を基本として説明するが、これに限られることはなく、図５に示すように、光制御シート１００を建物の窓ガラス等の光入射部２００の屋外側から貼り付けることもできる。なお、光制御シート１００を光入射部２００の屋外側から貼り付ける場合には、熱線吸収部１１及び光反射部１２の幅が広くなっている底部が、粘着層３０側ではなく、図５に示すように基材層２０側に位置するようになってもよい。なお、図５で示す態様でも、熱線吸収部１１は前面から後面に向かう方向（厚み方向）で突出している。ところで、本願において熱線吸収部１１の「幅」とは、光制御シート１００の面内において上述した「所定方向」に直交する方向における長さのことを意味している。
【００３０】
光反射群１２ａと熱線吸収群１１ａは一枚の光制御シート１００に形成されてもよいが、図６に示すように、光制御シート１００は、光反射群１２ａを含む光反射フィルム部１０２と、熱線吸収群１１ａを含む熱線吸収フィルム部１０１とを有し、光反射フィルム部１０２と熱線吸収フィルム部１０１が別体となっていてもよい。なお、光入射部２００に取り付けられた際には、熱線吸収フィルム部１０１は光反射フィルム部１０２よりも下方に位置することとなる。
【００３１】
ところで、本願において、光反射部１２とは、入射された太陽光等の光を反射すればよく、望ましくは入射光の半分以上の光を反射すればよい。熱線吸収部１１とは、光透過部１６よりも熱線を吸収すればよく、望ましくは光透過部１６より１０％以上多く熱線を吸収する。
【００３２】
次に、保護フィルム４０、光透過部１６、熱線吸収部１１、光反射部１２、粘着層３０、基材層２０で用いられる材料や、これらの厚み等について、簡単に説明する。
【００３３】
（基材層２０）
基材層２０としては、例えばポリエチレンテレフタレート（ＰＥＴ）又はポリカーボネート（ＰＣ）等の透明のフィルムが用いられる。基材層２０の厚みは５０〜１００μｍであることが好ましい。基材層２０の厚みが５０μｍより薄いと、窓貼りフィルムとしての飛散防止性能が不十分となるおそれがあり、逆に、基材層２０の厚みが１００μｍよりも厚いとコストが高くなるし、また後述する光透過部１６を硬化させるときに基材層２０越しに電離放射線を照射した場合に電離放射線のロスを生じるといった不具合が発生してしまうことがある。
【００３４】
（光透過部１６）
光透過部（ベースフィルム）１６の材料としては、従来公知の材料を用いることができるが、好ましくは電離放射線硬化性を有するエポキシアクリレート等の無溶剤樹脂を用いることができる。光透過部１６を形成する際には、無溶剤樹脂を成形用型に押し出して型付けし、その後、当該無溶剤樹脂を硬化させることで、凹部を有する光透過部１６が形成される。必要に応じて、熱、圧力をかけつつ押し出し、また、電離放射線を照射して硬化させてもよい。
【００３５】
凹部の形状は、求める熱線吸収性能及び光反射性能に応じて任意に決めることができるが、本実施の形態のように光制御シート１００としての機能を得る上では光透過部（ベースフィルム）１６の前面から後面に向かう方向（厚み方向）に長辺を持つ略長方形やまたは三角形が好ましい。この略長方形とは、正方形、長方形及び台形を含む形状である。また厚み方向の頂部や底部の角部が丸まっていてもよく、また各々の角部を結ぶ接線が直線でも曲線でもよい。
【００３６】
凹部には、後述する熱線吸収部１１及び光反射部１２を埋め込むが、熱線吸収部１１及び光反射部１２の幅が広いと、これら熱線吸収部１１及び光反射部１２が視認でき、場合によっては外観を損ねることがある。このため、これら熱線吸収部１１及び光反射部１２を目立たないようにしたい場合には、凹部の幅は０．１μｍ〜５０μｍとすることが好ましい。また、熱線吸収部１１及び光反射部１２の間隔（ピッチ）を狭めるほど光透過部１６の面積が減少するので透明性が下がり、逆に熱線吸収部１１及び光反射部１２の間隔を広げるほど光透過部１６の面積が増加するので透明性が増す。そして、凹部の間隔は０．１μｍ〜５００μｍの範囲とすることが好ましい。また、熱線吸収部１１及び光反射部１２の高さは低いほど透明性が増し、高くするほど透明性が下がる。そして、凹部の深さは０．１μｍ〜７５０μｍとすることが好ましい。ちなみに、本願で「深さ」や「高さ」は、光制御シート１００の厚み方向における長さのことを意味している。
【００３７】
（熱線吸収部１１）
光透過部１６で少なくとも一部が覆われた熱線吸収部１１は、上述のようにして形成された光透過部１６をロールに沿わせながら搬送し、太陽光の少なくとの熱線を吸収できる熱線吸収材料を光透過部１６の凹部に埋め込み、スキージ等にて余分な熱線吸収材料を除去することで形成される。
【００３８】
上述した熱線吸収材料としては、着色顔料と樹脂組成物とを含んだものや、透明性を必要とする場合には、アンチモンドープ酸化錫（ＡＴＯ）、錫ドープ酸化インジウム（ＩＴＯ）及び六ホウ化ランタンのいずれかから選択される少なくとも１種以上の微粒子と、樹脂組成物とを含んだものを用いることができる。ＡＴＯ微粒子、ＩＴＯ微粒子及び六ホウ化ランタンの直径は、ヘイズ（ＨＡＺＥ）を抑える観点から、１ｎｍ〜３００ｎｍであることが好ましく、１ｎｍ〜１００ｎｍであることがさらに好ましい。
【００３９】
樹脂組成物に使用できる樹脂としては、従来公知の樹脂が使用できるが、具体的には電離放射線硬化性樹脂が使用できる。電離放射線硬化樹脂としては、反応性オリゴマー（エポキシアクリレート系、ウレタンアクリレート系、ポリエーテルアクリレート系、ポリエステルアクリレート系、ポリチオール系等）、反応性のモノマー（ビニルピロリドン、２−エチルヘキシルアクリレート、β−ヒドロキシアクリレート、テトラヒドロフルフリルアクリテート等）等が用いられる。
【００４０】
なお、光透過部１６と熱線吸収部１１の屈折率を合わせることで太陽光の反射光、透過光の屈折が抑制され、眺望のための視認性が向上するため好ましい。
【００４１】
（光反射部１２）
光透過部１６で少なくとも一部が覆われた光反射部１２は、熱線吸収部１１と同様、上述のようにして形成された光透過部１６をロールに沿わせながら搬送し、太陽光を反射することができる光反射材料を光透過部１６の凹部に埋め込み、スキージ等にて余分な光反射材料を除去することで形成される。
【００４２】
上述した光反射材料としては、いわゆるミラーインキを用いることができる。ミラーインキとは、分散されたアルミニウム粒子又は銀粒子等の高反射率のパウダーと、透明樹脂材料からなるバインダー樹脂とを含んだものである。このバインダー樹脂には例えば紫外線硬化性樹脂、熱硬化性樹脂等を用いることができる。また、光反射材料としては、バインダー樹脂に散乱反射を起こす例えば酸化チタン、酸化亜鉛パウダー等を分散させた白インキを用いてもよく、この場合には、光反射部１２で反射される光を散乱光とすることができる。また、光反射材料として無色透明インキを用いてもよく、この場合には、光反射部１２の少なくとも上側の面で反射が生じるように、光透過部１６を構成する透明材料の屈折率に対して、これより屈折率が小さな材料が選定される。また、光反射材料として黒インキ等の各種の着色インキを用いてもよく、この場合には、着色に係る顔料のバインダー樹脂を透明樹脂材料とし、光透過部１６を構成する透明材料に対して、屈折率が小さな透明樹脂材料が選択される。このように黒インキ等の着色インキを使用する場合には、光制御シート１００自体が所望の色彩を帯びるように設定することができ、光制御シート１００をデザイン的に優れたものとすることができる。
【００４３】
（粘着層３０）
熱線吸収部１１及び光反射部１２が光透過部１６内に形成された後で、前面側にダイコート等で粘着剤を塗布することで、熱吸収層の前面側に粘着層３０が形成される。
【００４４】
粘着層３０に耐候性を付与するために、粘着層３０には耐候剤（ＵＶＡ、ＨＡＬＳ）が添加されていてもよい。耐候剤としては市販のものが用いられ、紫外線吸収剤（ＵＶＡ）、ヒンダードアミン系光安定剤（ＨＡＬＳ）としては既知のものを使用することができる。ＵＶＡとしては、例えば、ベンゾトリアゾール系ＵＶＡ、トリアジン系ＵＶＡ、ベンゾフェノン系ＵＶＡ、サリチレート系ＵＶＡ、アクリロニトリル系ＵＶＡ等を用いることができる。また、ＨＡＬＳとしては、「チヌビン１２３」、「チヌビン１４４」、「チヌビン２９２」、「チヌビン１１１ＦＤＬ」等を用いることができる。
【００４５】
（保護フィルム４０）
保護フィルム４０には、ハードコート機能を有する硬化性樹脂が含まれる。保護フィルム４０に用いられる硬化性樹脂としては、特に制限はなく、熱硬化性樹脂、電離放射線硬化性樹脂等が挙げられる。熱硬化性樹脂としては、エポキシ樹脂、フェノール樹脂、ユリア樹脂、不飽和ポリエステル樹脂、メラミン樹脂、アルキド樹脂、ポリイミド樹脂、シリコーン樹脂、水酸基官能性アクリル樹脂、カルボキシル官能性アクリル樹脂、アミド官能性共重合体、ウレタン樹脂等が挙げられる。これらの樹脂の架橋硬化の態様としては特に限定されない。なお、硬化性の点からは、硬化性樹脂は電離放射線硬化性樹脂であることが好ましく、特に溶剤等を使用する必要がない点等から電子線硬化性樹脂が好ましい。
【００４６】
保護フィルム４０の厚みは３〜１０μｍが好ましい。保護フィルム４０の厚みが３μｍ未満では保護層としての役割が不足するおそれがあり、他方、保護フィルム４０の厚みが１０μｍを超えるとコストが高くなってしまうためである。
【００４７】
《作用・効果》
次に、上述した構成からなる本実施の形態による作用・効果について説明する。
【００４８】
本実施の形態の光制御シート１００は、光制御シート１００の面内で所定方向に沿って設けられ、太陽光に含まれる熱線を吸収する複数の熱線吸収部１１を含む熱線吸収群１１ａと、光制御シート１００の面内で所定方向に沿って設けられ、太陽光を反射して太陽光の入射側とは反対側である室内側（より具体的には室内の天井側）に取り込む複数の光反射部１２を含む光反射群１２ａと、を備えている。このため、太陽光の熱線を吸収して遮蔽することと、太陽光を室内に取り込んで照明として利用することをバランスよく行うことができる。
【００４９】
具体的に説明すると、特許文献１に記載されたような光制御シートでは、太陽光に含まれる熱線を吸収して遮蔽することのみが想定されており、太陽光を照明として室内に取り込むことは全く想定されていない。他方、特許文献２に記載されたような省エネブラインドでは、太陽光を照明として室内に取り入れることのみが想定されており、太陽光の熱線を吸収して遮断することは全く想定されていない。つまり、特許文献１に記載されたような光制御シートを採用した場合には、太陽光に含まれる熱線を吸収して遮蔽するという効果のみを達成することができる。他方、特許文献２に記載されたような省エネブラインドを採用した場合には、太陽光を室内の天井側に取り入れて照明として利用できるという効果のみを達成することができる。
【００５０】
これに対して、本実施の形態の光制御シート１００によれば、光反射群１２ａで太陽光の天井側への採光を行いつつ、熱線吸収群１１ａで太陽光の熱線を吸収して遮蔽することができる。このため、本実施の形態によれば、互いに相反する、太陽光に含まれる熱線を吸収して遮蔽する効果と、太陽光を室内に取り込む効果の両方を、バランスよく同時に達成することができる。
【００５１】
また、本実施の形態のように光入射部２００の上方箇所に光反射群１２ａを位置づけ、光入射部２００の下方箇所に熱線吸収群１１ａを位置づけることで、光入射部２００の上方箇所に位置する光反射部１２で反射した太陽光によって効率よく天井に照射して照明としての機能を果たすことができ、かつ、光入射部２００の下方箇所に位置する熱線吸収部１１で太陽光に含まれる熱線を吸収して遮蔽することで室内の温度が高くなることを防止することができる。
【００５２】
光反射群１２ａを光入射部２００の下方箇所に取り付けると、光反射部１２で反射された太陽光が天井に達するまでに長い距離が生じ、効率よく天井に太陽光を照射して照明として機能させることができず、採光効率が悪くなってしまう。また、このように下方位置から太陽光を室内に取り入れると太陽光が室内を横断することとなり、とりわけ夏場では、当該太陽光に含まれる熱線によって室内の温度が高くなってしまう。これに対して、本実施の形態では、天井に近い光入射部２００の上方箇所に入射する光のみで効率よく採光を行い、かつ、天井から遠く仮に光反射群１２ａで室内に取り込むと室温を高めてしまう光入射部２００の下方箇所に入射する光に含まれる熱線を熱線吸収群１１ａで吸収する。このため、本実施の形態によれば、太陽光を室内に取り込んで照明として利用することと、太陽光に含まれる熱線を吸収して遮蔽することを、よりバランスよく行うことができる。
【００５３】
ところで、図６に示すように、光反射群１２ａを含む光反射フィルム部１０２と熱線吸収群１１ａを含む熱線吸収フィルム部１０１が別体となっていている態様では、これら光反射フィルム部１０２及び熱線吸収フィルム部１０１を別々に製造することができるので、製造過程を簡素化することができる点で有益である。
【００５４】
他方、光反射群１２ａと熱線吸収群１１ａが一枚の光制御シート１００に形成されている場合には、光制御シート１００を光入射部２００に貼り付ける際に、光反射群１２ａと熱線吸収群１１ａの位置関係がずれることがない点で優れている。
【００５５】
また、熱線吸収材料として、アンチモンドープ酸化錫（ＡＴＯ）又は錫ドープ酸化インジウム（ＩＴＯ）の微粒子と、樹脂組成物とを含んだものを採用した場合には、熱線吸収群１１ａを透明にすることができ、窓ガラス等の光入射部２００に光制御シート１００を貼っても視界の邪魔になりにくい。
【００５６】
また、光反射材料として、分散されたアルミニウム粒子又は銀粒子等の高反射率のパウダーと、透明樹脂材料からなるバインダー樹脂とを含んだ、いわゆるミラーインキを採用した場合には、光反射群１２ａを透明にすることができ、窓ガラス等の光入射部２００に光制御シート１００を貼っても視界の邪魔になりにくい。
【００５７】
なお、熱線吸収材料として、アンチモンドープ酸化錫（ＡＴＯ）又は錫ドープ酸化インジウム（ＩＴＯ）の微粒子と、樹脂組成物とを含んだものを採用し、かつ、光反射材料として、分散されたアルミニウム粒子又は銀粒子等の高反射率のパウダーと、透明樹脂材料からなるバインダー樹脂とを含んだものを採用した場合には、光制御シート１００全体を透明にすることができるので、視界の邪魔にならないという点では、好ましい。
【００５８】
《実施例》
次に、本願の発明者が行ったシミュレーション結果について説明する。なお、太陽光が水平面に対して６０度の角度で入射したものとしてシミュレーションを行った。
【００５９】
比較例は、光入射部である窓ガラス２００のみを用いたものであり、実施例は、比較例の窓ガラス２００に光制御シート１００を貼り付けたものである。なお、実施例では、光反射群１２ａが占める面積と熱線吸収群１１ａの占める面積の割合を１：１とし、窓ガラス２００の上側半分が光反射群１２ａで占められ、窓ガラス２００の下側半分が熱線吸収群１１ａで占められている態様を用いた（図８参照）。なお、図８において「天井面照度測定」と記載された箇所で天井面の照度を測定し、図８において「床面照度測定及び温度測定」と記載された箇所で床面の照度と温度を測定した。
【００６０】
以下の表１に示すように、比較例では、太陽光による温度上昇が単位面積あたり５０度であり、窓ガラス２００を通過した太陽光による床面の照度が３０００Ｌｕｘであり、窓を通過した太陽光による天井面の照度が０Ｌｕｘであった。
【００６１】
他方、実施例では、窓ガラス２００の下側半分（つまり熱線吸収群１１ａ）を通過した太陽光による温度上昇が単位面積あたり３０度であり、窓ガラス２００の下側半分（つまり熱線吸収群１１ａ）を通過した太陽光による床面の照度が２４００Ｌｕｘであり、窓の下側半分（つまり熱線吸収群１１ａ）を通過した太陽光による天井面の照度が０Ｌｕｘであった。また、窓ガラス２００の上側半分（つまり光反射群１２ａ）を通過した太陽光による温度上昇が単位面積あたり３５度であり、窓ガラス２００の上側半分（つまり光反射群１２ａ）を通過した太陽光による床面の照度が１５００Ｌｕｘであり、窓の上側半分（つまり光反射群１２ａ）を通過した太陽光による天井面の照度が９００Ｌｕｘであった。
【００６２】
【表１】
2014077851.tif 000003
【００６３】
このように、本実施例によれば、窓ガラス２００の上方箇所に位置する光反射群１２ａで、太陽光の天井側への採光を行えていることを確認することができた。また、窓ガラス２００の下方箇所に位置する熱線吸収群１１ａで、太陽光の熱線を吸収して遮蔽することができることを確認することもできた。
【００６４】
より具体的には、床面の温度上昇に関して、熱線吸収群１１ａを通過した太陽光に関しては２０度も改善でき、光反射群１２ａを通過した太陽光に関しては１５度も改善できた。なお、光反射群１２ａでは太陽光の熱線が吸収されるわけではないので、この「１５度」という数字は、必ずしも室温の温度上昇に直結しているものではない。他方、熱線吸収群１１ａでは太陽光の熱線を吸収することができうるので、上述した「２０度」という数字は、室温の温度上昇に直結した数字である。
【００６５】
また、天井面の照度に関して、熱線吸収群１１ａを経た太陽光では何らの効果も得ることができなかったが、光反射群１２ａを経た太陽光では９００Ｌｕｘもの照度を得ることができた。
【００６６】
最後になったが、上述した実施の形態の記載及び図面の開示は、特許請求の範囲に記載された発明を説明するための一例に過ぎず、上述した実施の形態の記載又は図面の開示によって特許請求の範囲に記載された発明が限定されることはない。
【符号の説明】
【００６７】
１０        光制御層
１１        熱線吸収部
１１ａ      熱線吸収群
１２        光反射部
１２ａ      光反射群
１６        光透過部
２０        基材層
３０        粘着層
４０        保護フィルム
５０        剥離フィルム
１００      光制御シート
１０１      熱線吸収フィルム部
１０２      光反射フィルム部
２００      光入射部
【図１】
2014077851.tif 000004
【図２】
2014077851.tif 000005
【図３】
2014077851.tif 000006
【図４】
2014077851.tif 000007
【図５】
2014077851.tif 000008
【図６】
2014077851.tif 000009
【図７】
2014077851.tif 000010
【図８】
2014077851.tif 000011